(57)【要約】【課題】表示内容の管理が容易で、テナントがエレベータ利用者のニーズにより適した情報を容易に表示できる乗りかご内表示システムを得る。【解決手段】乗りかご表示装置１０２への表示内容を記憶する記憶部１０４と、記憶部で記憶された表示内容を所定の周期で表示するように制御を行う表示装置制御部１０３と、表示内容の変更指示があった場合、その内容を表示装置制御部へ伝送する表示内容制御部１０５と、を有した表示内容変更装置１０７と、表示装置に設定された表示内容変更エリア２０１〜２０３と、表示内容変更装置とネットワーク１０９を介して接続され、表示内容変更エリアに対応して表示内容の変更できる内容を変更レベルとして定められたテナント端末１０６と、を備え、テナント端末１０６から表示内容制御部１０５へ表示内容変更エリア及び変更レベルの範囲で表示内容の変更指示を行う。【選択図】図１
2015120585.tif 000002
【特許請求の範囲】
【請求項１】
エレベータの乗りかご内に設けられた表示装置により乗客に情報提供を行う乗りかご内表示システムにおいて、
前記乗りかご表示装置への表示内容を記憶する記憶部と、前記記憶部で記憶された表示内容を所定の周期で表示するように制御を行う表示装置制御部と、前記表示内容の変更指示があった場合、その内容を前記表示装置制御部へ伝送する表示内容制御部と、を有した表示内容変更装置と、
前記表示装置に設定された表示内容変更エリアと、
前記表示内容変更装置とネットワークを介して接続され、前記表示内容変更エリアに対応して前記表示内容の変更できる内容を変更レベルとして定められたテナント端末と、
を備え、前記テナント端末から前記表示内容制御部へ前記表示内容変更エリア及び前記変更レベルの範囲で前記表示内容の変更指示を行うことを特徴とする乗りかご内表示システム。
【請求項２】
請求項１に記載の乗りかご内表示システムにおいて、前記表示内容変更エリアは、全ての内容を変更できる表示内容変更エリアＡと、エレベータの運転方向や乗りかご位置以外の部分が変更できる表示内容変更エリアＢと、該表示内容変更エリアＢ内で特定された部分のみを変更できる表示内容変更エリアＣと、が定められていることを特徴とする乗りかご内表示システム。
【請求項３】
請求項１に記載の乗りかご内表示システムにおいて、前記変更レベルは、全ての内容を変更できる変更レベル１と、前記表示内容のレイアウト、背景画、色、表示内容を変更できる変更レベル２と、エレベータの運転方向や乗りかご位置以外の部分が変更できる表示内容変更エリアＢにのみ適用される変更レベル３と、を有していることを特徴とする乗りかご内表示システム。
【請求項４】
請求項１に記載の乗りかご内表示システムにおいて、前記テナント端末から前記表示内容の変更指示を可能とする専用ソフトは前記ネットワークを介して前記テナント端末へダウンロードされ、ダウンロードされると共に、前記変更レベルが前記テナント端末に設定されることを特徴とする乗りかご内表示システム。
【発明の詳細な説明】
【技術分野】
【０００１】
本発明は、エレベータ乗りかご内の表示装置に関し、特に表示内容を変更するシステムに好適である。
【背景技術】
【０００２】
従来、乗りかご内の乗客が必要としている多彩な情報をタイムリーにかつ効率良く伝達可能とするため、管理者が建物管理情報に基づいたデータベースを編集すると共に、表示情報制御部と通信回線を介して接続した外部情報源から最新の情報を入手することが知られ、例えば、特許文献１に記載されている。
【先行技術文献】
【特許文献】
【０００３】
【特許文献１】特開２００３−１４６５４７号公報
【発明の概要】
【発明が解決しようとする課題】
【０００４】
上記従来技術においては、商業施設の入ったビルのエレベータなどでは、各テナントが表示装置へ広告などを表示するためには管理会社や管理人に対して変更を依頼する必要があった。依頼を不要とするためには、専用端末を各テナントに対して設け、それぞれのテナントで表示するためのデータ作成等を行う必要があるが、初期費用、管理コスト等が大きくなる。また、各テナントでエレベータ利用者を特定顧客としてニーズに適した表示変更、登録を行う場合、あるテナントで先に登録した表示内容が後に登録し、別のテナントにより上書きされる恐れがあるなど、管理が煩雑であった。
本発明の目的は、上記従来技術の課題を解決し、表示内容の管理が容易で、テナントがエレベータ利用者のニーズにより適した情報を容易に表示できるものとすることにある。
【課題を解決するための手段】
【０００５】
上記課題を解決するため、本発明は、エレベータの乗りかご内に設けられた表示装置により乗客に情報提供を行う乗りかご内表示システムにおいて、前記乗りかご表示装置への表示内容を記憶する記憶部と、前記記憶部で記憶された表示内容を所定の周期で表示するように制御を行う表示装置制御部と、前記表示内容の変更指示があった場合、その内容を前記表示装置制御部へ伝送する表示内容制御部と、を有した表示内容変更装置と、前記表示装置に設定された表示内容変更エリアと、前記表示内容変更装置とネットワークを介して接続され、前記表示内容変更エリアに対応して前記表示内容の変更できる内容を変更レベルとして定められたテナント端末と、を備え、前記テナント端末から前記表示内容制御部へ前記表示内容変更エリア及び前記変更レベルの範囲で前記表示内容の変更指示を行うものである。
【発明の効果】
【０００６】
本発明によれば、表示内容変更装置とネットワークを介して接続されたテナント端末から表示内容変更エリア及び変更レベルの範囲で表示内容の変更指示を行うので、表示内容の管理が容易で、テナントがエレベータ利用者のニーズにより適した情報を容易に表示できる。
【図面の簡単な説明】
【０００７】
【図１】本発明による一実施の形態を示す全体ブロック図。
【図２】一実施の形態における表示装置の表示内容変更エリアを示す正面図。
【図３】一実施の形態における表示内容の変更手順を示すフローチャート。
【発明を実施するための形態】
【０００８】
以下、本発明の一実施形態について図を参照して説明する。  
図１は一実施形態による全体構成を示すブロック図であり、乗りかご表示装置１０２は乗りかご内に設けられ文字、映像を表示内容とする表示装置であり、表示内容変更装置１０７は乗りかご表示装置１０２へ記憶部１０４で記憶された表示内容を所定の周期で表示するように制御を行う表示装置制御部１０３と、外部から表示内容の変更指示があった場合、その内容を集約し、データ化して表示装置制御部１０３へ伝送する表示内容制御部１０５と、とを有している。
【０００９】
各テナント端末１０６は、例えば、インターネット、ＬＡＮ等のネットワーク１０９を介して、表示内容変更装置１０７へ接続され、表示内容の変更指示を行う。また、各テナント端末１０６においては、表示内容を変更する専用ソフトが使用され、専用ソフトは予めネットワーク１０９を介して、専用ソフト配信部１０８からダウンロードしておけば良い。なお、各テナント端末１０６から表示内容制御部１０５へＬＡＮ接続とし、専用ソフトは保守会社のホームページからインターネットを介して予め配信することでも良い。各テナント端末１０６は汎用端末であるパソコンやスマートフォン、タブレットを用いる。
【００１０】
図２は表示装置１０２の表示内容であり、全ての内容を変更できるように表示内容変更エリアＡ２０１が、エレベータの運転方向や乗りかご位置以外の部分が変更できる表示内容変更エリアＢ２０２が、表示内容変更エリアＢ２０２内で、さらに特定された部分のみを変更できる表示内容変更エリアＣ２０３が、それぞれ製造元、保守員、ビルの管理者、又は管理者が許諾した範囲で定められている。また、変更内容として変更レベル１ないし４が同様に定められている。
【００１１】
図３は表示内容制御部１０５の表示データ作成フローであり、変更レベル１、２と変更レベル３、４にて処理が異なる。  
専用ソフトを専用ソフト配信部１０８から各テナント端末１０６にダウンロードするとき、表示内容変更装置１０７は各テナント端末１０６の利用者情報を専用ソフト配信部１０８へ送信し、変更レベルを含んだ利用者コードを各テナント端末１０６へ送信し、利用者コードを専用ソフトへ書き込む。利用者情報は別途、ビルの管理者の端末（図示せず）に送信及び許諾を得て置く。これにより、変更レベルがテナント毎に設定されると共に、変更レベルに応じて表示内容の変更が可能となる。また、製造元、保守員、ビルの管理者、又は管理者からの委託先等への端末（図示せず）へも変更レベルを設定する。
【００１２】
変更レベルは表示内容の変更できる内容を定めたものであり、図２で示した表示内容変更エリアＡからＣに対して設定される。変更レベル１は全ての内容を変更できるもので、主に製造元、保守員のみ可能な最も高いレベル、権限である。変更レベル２は表示内容のレイアウト、背景画、色、表示内容を変更できるもので、ビルの管理者、又は管理者からの委託先のみである。変更レベル１、２は表示内容変更エリアＡ２０１に適用される。変更レベル３、４は、表示内容変更エリアＢ２０２にのみ適用されて表示内容を変更できるもので、各テナントなどのユーザが対象である。変更レベル３は表示内容変更エリアＢ２０２に適用し、変更レベル４は、最低のレベルであり、表示内容変更エリアＣ２０３に適用し、権限に差をつけることで、特定情報を強調することを可能としている。
【００１３】
各テナント端末１０６は、専用ソフトを用いて表示内容を変更し、その内容を表示内容制御部１０５へ送信する。表示内容制御部１０５は表示装置制御部１０３へ新たな表示内容を送信し、図３の表示データ作成フローに従い表示データを作成する。
【００１４】
作成フローは、ステップ３０１にて現在、表示装置１０２にて表示している表示内容を記憶部１０４から表示装置制御部１０３経由で入手し、ステップ３０２にてテナント端末１０６からの新規表示内容を受信して取り込む。
【００１５】
ステップ３０３にて表示内容へ付加された変更レベルを判定する。変更レベルが１又は２の場合、ステップ３０４にて表示レイアウトの変更有無を判定し、レイアウト変更がある場合は、ステップ３０５にてレイアウトデータの読み出し、設定を行う。
【００１６】
ステップ３０６にて表示内容変更の有無を判定し、内容変更がある場合は、ステップ３０７にて表示内容の読み出し、変更を行う。次にステップ３０８にて表示設定変更の有無を判定し、設定変更がある場合は、ステップ３０９にて表示設定内容の読み出し、変更を行う。表示設定内容は表示内容１件当たりの表示時間や、変更レベル３、４での表示頻度比率、表示内容を記憶するレイヤー数が不足した場合の処置である。
【００１７】
ステップ３０３にて変更レベルが３又は４の場合、ステップ３１０にてレイヤー残量の有無を判定し、有りの場合はステップ３１１にて表示内容の変更をする。無しの場合はステップ３１２にて、ステップ３０９において設定したレイヤー数不足時の処置に従い、時間割表示に設定した場合はステップ３１３にてある設定時間毎に表示装置制御部１０３へ表示内容のデータを送信して表示装置１０２へ表示される内容を更新することでレイヤー数不足を補う。データ廃棄に設定した場合はステップ３１４にて変更レベルが低く、最も古い登録の表示内容を破棄する。
【００１８】
上記の処理にて表示内容を設定してステップ３１５にてデータ化し、ステップ３１６にて新規表示内容を送付してきたテナント端末１０６へ返信し、その表示内容をステップ３１７にてユーザへ確認する。確認結果が許諾され、ＯＫの入力があった場合、ステップ３１８にて表示データを表示装置制御部１０３へ送信する。表示データを受信した表示装置制御部１０３は、受信データを記憶部１０４へ記憶し、表示装置１０２へその内容を反映する。
【００１９】
以上により表示内容を各テナントで決定した表示内容へ変更することができ、表示内容も表示内容変更エリアと変更レベルにより製造元、保守員、ビルの管理者、又は管理者が許諾した範囲となる。また、各テナントが表示内容を決定するので、エレベータの乗客をテナントの特定顧客としてテナントの情報、広告情報などをニーズに適したタイムリーなものとすることができる。
【符号の説明】
【００２０】
１０１  乗りかご
１０２  乗りかご表示装置
１０３  表示装置制御部
１０４  記憶部
１０５  表示内容制御部
１０６  テナント端末
１０７  表示内容変更装置
１０８  専用ソフト配信部
１０９  ネットワーク
２０１  表示内容変更エリアＡ
２０２  表示内容変更エリアＢ
２０３  表示内容変更エリアＣ
【図１】
2015120585.tif 000003
【図２】
2015120585.tif 000004
【図３】
2015120585.tif 000005